(57)【要約】【課題】液晶パネルの端子部に接続されるフレキシブル基板に、より多くの部品実装エリアを確保する。【解決手段】液晶パネル１０の端子部１１１に接続されたフレキシブル基板２０をほぼ１８０゜折り曲げて液晶パネル１０の裏面側に配置する態様の液晶表示素子において、フレキシブル基板２０の折り曲げ部２１に、チップ部品３０を面実装するための部品実装部２０Ｂを形成する。【選択図】　　図１
2004029651.tif 000002
【特許請求の範囲】
【請求項１】
端子部を備えている液晶パネルと、一端が上記端子部に接続されたフレキシブル基板とを含み、上記フレキシブル基板は、その所定部分にほぼ１８０゜折り曲げられた折り曲げ部を有し、上記フレキシブル基板の他端側が上記液晶パネルの非観察面側に配置されている液晶表示素子において、
上記フレキシブル基板の上記折り曲げ部に、チップ部品を面実装するための部品実装部が形成されていることを特徴とする液晶表示素子。
【請求項２】
上記部品実装部には、ほぼコ字状をなす切り込み線によって形成される一対の切り起こし舌片が、それらの舌片基部側を対向させて上記折り曲げ部の仮想折り曲げ線を中心として線対称的に配置されている請求項１に記載の液晶表示素子。
【請求項３】
上記部品実装部には、ほぼＣ字状をなす切り込み線によって形成される一対の切り起こし舌片が、それらの舌片基部側を上記折り曲げ部の仮想折り曲げ線に沿って所定の間隔をもって対向させて配置されている請求項１に記載の液晶表示素子。
【発明の詳細な説明】
【０００１】
【発明の属する技術分野】
本発明は、液晶パネルの端子部にフレキシブル基板が接続された液晶表示素子に関し、さらに詳しく言えば、そのフレキシブル基板に対する部品の実装技術に関するものである。
【０００２】
【従来の技術】
液晶パネルには、ＣＯＦ（ｃｈｉｐ　ｏｎ　ｆｉｌｍ）などのフレキシブル基板が接続される。その一例を図４により説明すると、液晶パネル１０は、図示しない周辺シール材を介して圧着された一対の透明電極基板１１，１２を含み、この例では観察面側の透明電極基板１１に端子部１１１が連設されている。また、透過型もしくは半透過型の機種では、非観察面側（裏面側）の透明電極基板１２の裏面にバックライトの導光板１３が配置される。
【０００３】
端子部１１１には、例えば異方性導電接着フィルムなどを介してフレキシブル基板２０の一端側が接続される。特に、携帯電話機などに用いられる液晶表示素子には小型化が要求されるため、フレキシブル基板２０はほぼ１８０゜折り曲げられて、その他端側が非観察面側の透明電極基板１２の裏面側、この例ではバックライトの導光板１３の裏面側に折り返される。
【０００４】
ＣＯＦの場合、フレキシブル基板２０には、液晶駆動用のＩＣもしくはＬＳＩなどのベアチップや他のチップ部品が実装されるが、液晶パネル１０の小型化に伴って、フレキシブル基板２０もその大きさに制約を受け、部品実装エリアが狭くなってきている。
【０００５】
そこで、フレキシブル基板２０の限られた部品実装エリアを効率よく利用するため、この例のように、ほぼ１８０゜折り返された状態で端子部１１１と対向するフレキシブル基板２０の一部分をも部品実装エリア２０Ａとして使用するようにしているが、近年のますますの小型化の要求により、それでも部品実装エリアが足りない事態が予測される。
【０００６】
【発明が解決しようとする課題】
したがって、本発明の課題は、液晶パネルに接続されるフレキシブル基板の小型化に対応して、新たな部品実装エリアを確保することである。
【０００７】
【課題を解決するための手段】
上記課題を解決するため、本発明は、端子部を備えている液晶パネルと、一端が上記端子部に接続されたフレキシブル基板とを含み、上記フレキシブル基板は、その所定部分にほぼ１８０゜折り曲げられた折り曲げ部を有し、上記フレキシブル基板の他端側が上記液晶パネルの非観察面側に配置されている液晶表示素子において、上記フレキシブル基板の上記折り曲げ部に、チップ部品を面実装するための部品実装部が形成されていることを特徴としており、これによれば、フレキシブル基板のほぼ１８０゜折り曲げられた折り曲げ部にもチップ部品を実装することができる。
【０００８】
フレキシブル基板の折り曲げ部は曲面を呈しているため、チップ部品を安定性よく実装するには、上記部品実装部に、ほぼコ字状をなす切り込み線によって形成される一対の切り起こし舌片を、それらの舌片基部側を対向させて上記折り曲げ部の仮想折り曲げ線を中心として線対称的に配置することが好ましい。
【０００９】
別の態様として、上記部品実装部に、ほぼＣ字状をなす切り込み線によって形成される一対の切り起こし舌片を、それらの舌片基部側を上記折り曲げ部の仮想折り曲げ線に沿って所定の間隔をもって対向させて配置してもよい。
【００１０】
いずれにしても、フレキシブル基板の折り曲げ部に、上記一対の切り起こし舌片によってほぼ平らな面が出現するため、チップ部品を安定性よく実装することが可能となる。
【００１１】
【発明の実施の形態】
次に、図１ないし図３により、本発明の実施形態について説明するが、先の図４で説明した従来例と同一もしくは同一とみなされてよい構成要素には、それと同じ参照符号を用いる。
【００１２】
図１に、先の図４で説明した従来例と同じく、液晶パネル１０の端子部１１１にフレキシブル基板２０の一端を接続し、フレキシブル基板２０をほぼ１８０゜折り曲げて、その他端側をバックライト１３の裏面側に配置した状態を示すが、本発明では、フレキシブル基板２０のほぼ１８０゜折り曲げられた折り曲げ部２１に新たな部品実装部２０Ｂを設けて、折り曲げ部２１にもチップ部品３０を実装できるようにしている。
【００１３】
図２に、部品実装部２０Ｂの好ましい第１実施態様を示す。なお、図２（ａ）はフレキシブル基板２０を折り曲げる前の状態を示す図１の下側から見た図で、図２（ｂ）はその右側面図である。図中のＸ−Ｘ線は折り曲げ部２１の仮想折り曲げ線である。
【００１４】
部品実装部２０Ｂには、フレキシブル基板２０を折り曲げることにより出現する一対の切り起こし舌片２３，２４が設けられている。切り起こし舌片２３，２４の各々には、チップ部品３０をハンダ付けするためのハンダランド２３１，２４１が形成されている。
【００１５】
切り起こし舌片２３，２４は、それぞれコ字状をなす切り込み線２３２，２４２をフレキシブル基板２０に入れることにより形成されるが、この場合、切り起こし舌片２３，２４は、それらの舌片基部側（フレキシブル基板２０に連設されている側）を対向させて、折り曲げ部２１の仮想折り曲げ線Ｘ−Ｘを中心として線対称的に配置されている。
【００１６】
これによれば、フレキシブル基板２０を上記仮想折り曲げ線Ｘ−Ｘに沿って液晶パネル１０の裏面側に折り曲げることにより、図１に示すように、切り起こし舌片２３，２４の各自由端側が起立して、折り曲げ部２１にほぼ平らな実装面が現れるため、チップ部品３０を安定性よく実装することができる。なお、図示していないが、各ハンダランド２３１，２４１のリード線は舌片基部側から引き出せばよい。
【００１７】
次に、図３により、部品実装部２０Ｂの第２実施態様について説明する。この態様においても、部品実装部２０Ｂには、それぞれハンダランド２５１，２６２を有する一対の切り起こし舌片２５，２６が設けられる。
【００１８】
この場合、切り起こし舌片２５，２６は、それぞれＣ字状をなす切り込み線２５２，２６２をフレキシブル基板２０に入れることにより形成され、それらの舌片基部側を対向させた状態で、上記仮想折り曲げ線Ｘ−Ｘ方向に沿って所定の間隔をおいて並設される。
【００１９】
この態様によっても、フレキシブル基板２０を上記仮想折り曲げ線Ｘ−Ｘに沿って液晶パネル１０の裏面側に折り曲げることにより、切り起こし舌片２５，２６の上記仮想折り曲げ線Ｘ−Ｘと平行な上辺側と下辺側とが起立するため、折り曲げ部２１にほぼ平らな実装面が現れる。したがって、チップ部品３０を安定性よく実装することができる。
【００２０】
なお、上記第１実施態様では、切り起こし舌片２３，２４を形成する切り込み線２３２，２４２をほぼコ字状としているが、場合によっては、切り込み線２３２，２４２を上記第２実施態様で採用している切り込み線２５２，２６２と同じくほぼＣ字状としてもよい。この意味において、本発明の場合、コ字状の概念にはＣ字状も含まれる。
【００２１】
【発明の効果】
以上説明したように、本発明によれば、液晶パネルの端子部に接続されたフレキシブル基板をほぼ１８０゜折り曲げて液晶パネルの裏面側に配置する態様の液晶表示素子において、フレキシブル基板の折り曲げ部に、チップ部品を面実装するための部品実装部を形成したことにより、フレキシブル基板により多くの部品実装エリアを確保することができる。
【００２２】
また、部品実装部に、ほぼコ字状をなす切り込み線によって形成される一対の切り起こし舌片を設けて、フレキシブル基板の折り曲げ時に部品実装部にほぼ平らな実装面を出現させることにより、チップ部品を安定性よく実装することが可能となる。
【図面の簡単な説明】
【図１】本発明による液晶表示素子の実施形態を模式的に示す側面図。
【図２】本発明が備える部品実装部の第１実施態様を示す説明図。
【図３】本発明が備える部品実装部の第２実施態様を示す説明図。
【図４】従来の液晶表示素子の一例を模式的に示す側面図。
【符号の説明】
１０　液晶パネル
１１，１２　透明電極基板
１１１　端子部
１３　バックライト
２０　フレキシブル基板
２０Ａ，２０Ｂ　部品実装部
２１　折り曲げ部
２３〜２６　切り起こし舌片
２３１，２４１，２５１，２６２　ハンダランド
２３２，２４２，２５２，２６２　切り込み線
３０　チップ部品
【図１】
2004029651.tif 000003
【図２】
2004029651.tif 000004
【図３】
2004029651.tif 000005
【図４】
2004029651.tif 000006